(57)【要約】【課題】不正開封を防止することができ、低コストで、包装作業が簡単な包装体を提供する。【解決手段】被包装物を収容する収容箱体１と、収容箱体１に連設された外フラップ３とを有し、外フラップ３を閉じる操作によって外フラップ３の先端縁４を収容箱体１の縁５に重ね合わせ、収容箱体１の縁５から延び出す差込片６を外フラップ３に形成した差込口９に差し込んで外フラップ３を閉じた状態に保持するようにした包装体において、差込片６を、収容箱体１に連なる基端部７と、基端部７よりも幅が広い先端部８とで構成し、差込口９を、差込片６の先端部８を差し込む広幅部１０と、広幅部１０に連なる狭幅部１１とで構成し、差込片６の先端部８を差込口９の広幅部１０に差し込んだ状態で差込片６の基端部７が差込口９の狭幅部１１にはまり込むようにする。【選択図】図２
2008110797.tif 000002
【特許請求の範囲】
【請求項１】
被包装物を収容する収容部材（１）と、その収容部材（１）に連設されたフラップ（３）とを有し、そのフラップ（３）を閉じる操作によってフラップ（３）の先端縁（４）を前記収容部材（１）の縁（５）に重ね合わせ、前記収容部材（１）の縁（５）から延び出す差込片（６）を前記フラップ（３）に形成した差込口（９）に差し込んで前記フラップ（３）を閉じた状態に保持するようにした包装体において、前記差込片（６）を、前記収容部材（１）に連なる基端部（７）と、その基端部（７）よりも幅が広い先端部（８）とで構成し、前記差込口（９）を、前記差込片（６）の先端部（８）を差し込む広幅部（１０）と、その広幅部（１０）に連なる狭幅部（１１）とで構成し、前記差込片（６）の先端部（８）を前記差込口（９）の広幅部（１０）に差し込んだ状態で前記差込片（６）の基端部（７）が前記差込口（９）の狭幅部（１１）にはまり込むようにしたことを特徴とする包装体。
【請求項２】
被包装物を収容する収容部材（３１）と、その収容部材（３１）に連設したフラップ（３３）とを有し、そのフラップ（３３）を閉じる操作によってフラップ（３３）の先端縁（３５）を前記収容部材（３１）の縁（４２）に重ね合わせ、前記フラップ（３３）の先端縁（３５）から延び出す差込片（３６）を前記収容部材（３１）に形成した差込口（３９）に差し込んで前記フラップ（３３）を閉じた状態に保持するようにした包装体において、前記差込片（３６）を、前記フラップ（３３）に連なる基端部（３７）と、その基端部（３７）よりも幅が広い先端部（３８）とで構成し、前記差込口（３９）を、前記差込片（３６）の先端部（３８）を差し込む広幅部（４０）と、その広幅部（４０）に連なる狭幅部（４１）とで構成し、前記差込片（３６）の先端部（３８）を前記差込口（３９）の広幅部（４０）に差し込んだ状態で前記差込片（３６）の基端部（３７）が前記差込口（３９）の狭幅部（４１）にはまり込むようにしたことを特徴とする包装体。
【請求項３】
前記広幅部（１０）を開放端とするコ字状の切取線（１３）を形成し、その切取線（１３）に沿って前記広幅部（１０）の縁を切り取ることによって、前記広幅部（１０）に差し込んだ状態の前記先端部（８）の縁（１５ａ）を露出可能とした請求項１または２に記載の包装体。
【請求項４】
前記コ字状の切目線（１３）を、前記差込片（６）の先端部（８）よりも幅が狭くなるように形成した請求項３に記載の包装体。
【発明の詳細な説明】
【技術分野】
【０００１】
この発明は、不正開封を防止することが可能な包装体に関する。
【背景技術】
【０００２】
商品や書類等の被包装物を包装した包装体を配送する場合、包装体を開封すべきでない者による不正開封を防止するため、被包装物を収容した包装体を不正開封防止機能付の粘着テープを用いて封緘し、粘着テープを剥がしたときに粘着テープの一部が包装体に残って開封痕が残るようにしたり（特許文献１）、不正開封防止用のミシン目線を施した外フラップを、接着剤で内フラップに貼り付けて封緘し、外フラップを剥がしたときに、ミシン目線の内部が破断して内フラップに残るようにした包装箱（特許文献２）などが提案されている。
【０００３】
しかし、包装体を不正開封防止機能付の粘着テープで封緘するのは、包装体以外に粘着テープを必要とするので、コスト高である。また、不正開封防止用のミシン目線を外フラップに施した包装箱は、封緘するのに接着剤を必要とするので、包装作業が煩雑である。
【０００４】
また、郵送用の包装箱として、被包装物を収容する収容箱体と、その収容箱体に連設したフラップとを有し、そのフラップを閉じる操作によって、フラップの先端縁を収容箱体の縁に重ね合わせ、そのフラップの先端縁から延び出す差込片を、収容箱体に形成した差込口に差し込んでフラップを閉じた状態に保持するようにした包装箱が知られている（特許文献３）。この包装箱は、差込片の先端部が基端部よりも幅広に形成されており、差込片の先端部を差込口に差し込むと、差込口の縁が先端部を係止して差込片を抜け止めするようになっている。
【０００５】
しかし、この包装箱は、差込片の先端部を差込口に差し込んだときに、差込片の基端部が収容箱体の外側に重なった状態になるので、基端部の縁に指を掛けて基端部を摘むことにより先端部を差込口から抜き出し、不正に開封されるおそれがある。
【特許文献１】特開２００１−２３４１３７号公報
【特許文献２】特開平７−１７２４３１号公報
【特許文献３】実開昭４９−７９５２０号公報
【発明の開示】
【発明が解決しようとする課題】
【０００６】
この発明が解決しようとする課題は、不正開封を防止することができ、低コストで、包装作業が簡単な包装体を提供することである。
【課題を解決するための手段】
【０００７】
上記の課題を解決するために、被包装物を収容する収容部材と、その収容部材に連設されたフラップとを有し、そのフラップを閉じる操作によってフラップの先端縁を前記収容部材の縁に重ね合わせ、前記収容部材の縁から延び出す差込片を前記フラップに形成した差込口に差し込んで前記フラップを閉じた状態に保持するようにした包装体において、前記差込片を、前記収容部材に連なる基端部と、その基端部よりも幅が広い先端部とで構成し、前記差込口を、前記差込片の先端部を差し込む広幅部と、その広幅部に連なる狭幅部とで構成し、前記差込片の先端部を前記差込口の広幅部に差し込んだ状態で前記差込片の基端部が前記差込口の狭幅部にはまり込むようにした。
【０００８】
また、この構成の収容部材とフラップとを置き換えても、上記の課題を解決することができる。すなわち、被包装物を収容する収容部材と、その収容部材に連設したフラップとを有し、そのフラップを閉じる操作によってフラップの先端縁を前記収容部材の縁に重ね合わせ、前記フラップの先端縁から延び出す差込片を前記収容部材に形成した差込口に差し込んで前記フラップを閉じた状態に保持するようにした包装体において、前記差込片を、前記フラップに連なる基端部と、その基端部よりも幅が広い先端部とで構成し、前記差込口を、前記差込片の先端部を差し込む広幅部と、その広幅部に連なる狭幅部とで構成し、前記差込片の先端部を前記差込口の広幅部に差し込んだ状態で前記差込片の基端部が前記差込口の狭幅部にはまり込むようにしてもよい。
【０００９】
これらの包装体は、前記広幅部を開放端とするコ字状の切取線を形成し、その切取線に沿って前記広幅部の縁を切り取ることによって、前記広幅部に差し込んだ状態の前記先端部の縁を露出可能とすると好ましく、さらに、前記コ字状の切取線を、前記差込片の先端部よりも幅が狭くなるように形成するとより好ましい。
【発明の効果】
【００１０】
前記収容部材の縁から延び出す差込片を前記フラップに形成した差込口に差し込んで前記フラップを閉じた状態に保持するようにしたこの発明の包装体は、差込片の先端部の幅が基端部の幅よりも広いので、差込片の先端部を差込口の広幅部に差し込むと、差込口の広幅部の縁が、差込片の先端部を係止して差込片を抜け止めする。また、差込片の先端部を差込口の広幅部に差し込んだときに、差込片の基端部が差込口の狭幅部にはまり込むので、基端部の縁に指を掛けて基端部を摘むことができない。そのため、包装体を破らずに開封するのが難しく、不正に開封することができない。
【００１１】
また、差込口に差し込んだ差込片でフラップを閉じた状態に保持するので、被包装物を包装するときに粘着テープや接着剤を必要としない。そのため、低コストであり、包装作業が簡単である。
【００１２】
同様に、前記フラップの縁から延び出す差込片を前記収容部材に形成した差込口に差し込んで前記フラップを閉じた状態に保持するようにしたこの発明の包装体も、差込片の先端部の幅が基端部の幅よりも広いので、差込片の先端部を差込口の広幅部に差し込むと、差込口の広幅部の縁が、差込片の先端部を係止して差込片を抜け止めする。また、差込片の先端部を差込口の広幅部に差し込んだときに、差込片の基端部が差込口の狭幅部にはまり込むので、基端部の縁に指を掛けて基端部を摘むことができない。そのため、包装体を破らずに開封するのが難しく、不正に開封することができない。
【００１３】
また、差込口に差し込んだ差込片でフラップを閉じた状態に保持するので、被包装物を包装するときに粘着テープや接着剤を必要としない。そのため、低コストであり、包装作業が簡単である。
【００１４】
さらに、前記広幅部を開放端とするコ字状の切取線を形成したものは、その切取線に沿って広幅部の縁を切り取ることによって、差込口に差し込んだ状態の先端部の縁を露出させることができる。そのため、不正でない開封時に、切取線の内部を切り取って差込片の先端部の縁を露出させ、その露出した縁に指を掛けて差込片の先端部を摘むことができるので、開封作業が簡単である。
【００１５】
さらに、前記コ字状の切取線を、前記差込片の先端部よりも幅が狭くなるように形成したものは、切取線に沿って広幅部の縁を切り取って開封した後、再び、差込片の先端部を差込片の広幅部に差し込むことにより、再封緘することが可能である。
【発明を実施するための最良の形態】
【００１６】
図１に、この発明の包装体の第１実施形態を示す。この包装体は、被包装物（たとえば、通信販売で配送する商品）を収容する収容箱体１と、収容箱体１の上部開口の一方の端縁と他方の端縁にそれぞれ連設された内フラップ２，２と、収容箱体１の上部開口の一方の側縁に連設された外フラップ３とを有し、各内フラップ２と外フラップ３を順に閉じる操作により収容箱体１の上部開口を閉鎖可能となっている。
【００１７】
収容箱体１は、外フラップ３を閉じたときに外フラップ３の先端縁４と重なり合う縁５から延び出す差込片６を有する。差込片６は、縁５に連なる基端部７と、基端部７よりも幅の広い先端部８とで構成されている。
【００１８】
外フラップ３には、図２に示すように、差込片６に対応する差込口９が形成されており、差込口９は、差込片６の先端部８を差込可能な広幅部１０と、広幅部１０に連なる狭幅部１１とで構成されている。狭幅部１１は、差込片６の基端部７と同じ幅であり、外フラップ３の先端縁４に至っている。また、外フラップ３の先端縁４に折返し板１２が連設され、折返し板１２は、図１に示すように、外フラップ３の先端縁４に沿って内側に折り返されている。また、外フラップ３には、図３に示すように、広幅部１０を開放端とするコ字状の切取線１３が形成されている。切取線１３は、図５に示すように、先端部８よりも幅が狭い。
【００１９】
この包装体による封緘は、次のようにして行なう。まず、被包装物を収容箱体１に収容し、その状態で各内フラップ２、外フラップ３を順に閉じ、図２に示すように収容箱体１の上部開口を閉鎖する。このとき、図３に示すように、外フラップ３の先端縁４が収容箱体１の縁５と重なり合う。
【００２０】
つぎに、図４，図５に示すように、差込片６の先端部８を差込口９の広幅部１０に差し込む。このとき、図５に示すように、先端部８が広幅部１０の狭幅部１１側の縁１４によって係止され、差込片６が抜け止めされるとともに、差込片６の基端部７が差込口９の狭幅部１１にはまり込む。また、折返し板１２が差込片６を支持するので、差込片６が外フラップ３の内面に密着する。
【００２１】
このように、この包装体は、差込口９に差込片６を差し込むことによって、外フラップ３を閉じた状態に保持することができる。このとき、基端部７が狭幅部１１にはまり込むので、基端部７の縁に指を掛けることができず、基端部７を摘んで先端部８を抜き出すことができない。
【００２２】
このようにして封緘した包装体は、次のようにして開封することができる。まず、図６に示すように、切取線１３に沿って広幅部１０の縁を切り取り、差込片６の先端部８に形成された指かけ用の凹縁１５ａを露出させる。このとき、切取線１３が先端部８よりも狭幅に形成されているので、先端部８の側縁１６は露出しない。つぎに、図７，図８に示すように、凹縁１５ａに指をかけて先端部８を摘み上げ、差込口９から差込片６を抜き出す。これにより、外フラップ３を開いて包装体を開封することが可能となる。
【００２３】
ここで、先端部８に、切取線１３よりも幅が狭い対向一対の折目線１５ｂ，１５ｂをあらかじめ形成しておくと、差込片６を差込口９から抜き出すときに、図７に示すように、先端部８が折目線１５ｂに沿って折れ曲がり、先端部８の幅が切取線１３の幅よりも狭くなるので、切取線１３の位置から先端部８を抜き出すことが可能となり、開封作業がより円滑となる。
【００２４】
また、切取線１３に沿って広幅部１０の縁を切り取って開封した後、再び、差込片６の先端部８を差込口９の広幅部１０に差し込むと、図６に示すように、先端部８の側縁１６が外フラップ３の内側に隠れ、差込片６が差込口９から抜け止めされた状態となる。このように、この包装体は、開封した後に再封緘することが可能である。
【００２５】
ここで、先端部８に、対向一対の折目線１５ｂ，１５ｂを横切る折目線１５ｃをあらかじめ形成しておくと、先端部８を広幅部１０に差し込んで再封緘するときに、先端部８が折目線１５ｃに沿って折れ曲がり、これにより、折目線１５ｂに沿った折り癖が矯正される。そのため、広幅部１０に差し込んだ先端部８が、折目線１５ｂに沿って折れ曲がりにくく、差込片６が不意に差込口９から抜け出る事態を防止することができる。
【００２６】
図９に、この包装体のブランクを示す。このブランクは、折目線を介して順に連設された側板１７，１８，１９，２０と、側板２０の側縁に連設された継ぎ代２１とを有する。側板２０の上縁には、外フラップ３、折返し板１２が順に連設され、側板１８の上縁には、内側板２２、内底板２３が順に連設されている。また、側板１７，１９の上縁には、内フラップ２，２がそれぞれ連設され、側板１７，１８，１９，２０の下縁には、底板２４，２５，２６，２７がそれぞれ連設されている。
【００２７】
内側板２２には、側板１８に至る切目線２８が形成されており、切目線２８の内部を切り起こすことによって、差込片６を形成可能となっている。また、外フラップ３には、差込片６に対応する差込口９が形成されている。
【００２８】
このブランクは、たとえば、次のようにして組み立てることができる。まず、側板１７，１８，１９，２０を筒状に折り曲げ、側板１７の裏面に継ぎ代２１を接着する。つぎに、底板２４，２５，２６，２７を組み立てて包装体の底を形成する。つづいて、切目線２８の内部から差込片６を切り起こし、内側板２２と側板１８の間の折目線に沿って内側板２２を折り曲げて内側板２２を側板１８の内面に重ね合わせ、さらに、内底板２３を底の内面に重ね合わせる。その後、外フラップ３の先端縁４に沿って折返し板１２を折り返して外フラップ３の内面に重ね合わせると、図１に示す状態となる。
【００２９】
この包装体は、差込片６の先端部８を差込口９の広幅部１０に差し込んだときに、差込片６の基端部７が差込口９の狭幅部１１にはまり込むので、基端部７を摘むことができず、包装体を破らずに開封するのが難しい。また、切取線１３に沿って差込口９の広幅部１０の縁を切り取ると、先端部８を摘んで差込口９から差込片６を抜き出すことが可能となるが、切取線１３に沿って差込口９の広幅部１０の縁を切り取ることによる開封痕が残る。そのため、この包装体は、不正に開封することができない。
【００３０】
また、この包装体は、差込口９に差し込んだ差込片６で外フラップ３を閉じた状態に保持するので、被包装物を包装するときに粘着テープや接着剤を必要としない。そのため、低コストであり、包装作業が簡単である。
【００３１】
また、この包装体は、配送用の宛名シール（図示せず）を貼り付ける場合、切取線１３にかかる位置に宛名シールを貼り付けると、切取線１３に沿って広幅部１０の縁を切り取って包装体を開封するときに、宛名シールの一部が剥がれるので、その剥がれた部分を手掛かりとして宛名シールを剥がすことができ、包装体をリサイクルする際に宛名シールを剥がす作業が簡単である。
【００３２】
図１０から図１２に、この発明の包装体の第２実施形態を示す。この包装体は、被包装物（たとえば、通信販売のカタログなど）を載せる収容トレー３１と、収容トレー３１の側縁に連設された内フラップ３２と、収容トレー３１の他方の側縁に連設された外フラップ３３と、収容トレー３１の両端縁に連設された補助フラップ３４，３４とを有し、内フラップ３２と外フラップ３３を順に閉じる操作により、収容トレー３１に載せた被包装物を包み込むことができるようになっている。補助フラップ３４は、収容トレー３１から被包装物が落下するのを防止する。
【００３３】
外フラップ３３は、外フラップ３３の先端縁３５から延び出す差込片３６を有する。差込片３６は、先端縁３５に連なる基端部３７と、基端部３７よりも幅の広い先端部３８とで構成されている。
【００３４】
収容トレー３１には、図１２に示すように、差込片３６に対応する差込口３９が形成されており、差込口３９は、差込片３６の先端部３８を差込可能な広幅部４０と、広幅部４０に連なる狭幅部４１とで構成されている。狭幅部４１は、図１３に示すように、差込片３６の基端部３７と同じ幅であり、外フラップ３３を閉じたときに外フラップ３３の先端縁３５と重なり合う縁４２に至っている。また、収容トレー３１には、広幅部４０を開放端とするコ字状の切取線４３が形成されている。また、切取線４３は、先端部３８よりも狭幅に形成されている。
【００３５】
この包装体による封緘は、次のようにして行なう。まず、図１０に示す状態で収容トレー３１に被包装物を載せ、図１１に示すように内フラップ３２を閉じ、さらに、図１２に示すように外フラップ３３を閉じる。このとき、図１３に示すように、外フラップ３３の先端縁３５が収容トレー３１の縁４２と重なり合う。
【００３６】
つぎに、差込片３６の先端部３８を差込口３９の広幅部４０に差し込むと、第１実施形態と同様に、先端部３８が広幅部４０の狭幅部４１側の縁４４によって係止され、差込片３６が抜け止めされる。このとき、基端部３７が狭幅部４１にはまり込むので、基端部３７の縁を摘んで先端部３８を抜き出すことができない。
【００３７】
このようにして封緘した包装体は、切取線４３に沿って差込口３９の広幅部４０の縁を切り取り、差込片３６の先端部３８に形成した指かけ用の凹縁４５を露出させ、その凹縁４５に指をかけて先端部３８を摘み上げ、差込片３６を差込口３９から抜き出すことにより、開封可能となる。
【００３８】
また、切取線４３に沿って広幅部４０の縁を切り取って開封した後、再び、差込片３６の先端部３８を差込口３９の広幅部４０に差し込むことにより、再封緘することが可能である。
【００３９】
この包装体は、第１実施形態と同様に、差込片３６の先端部３８を差込口３９の広幅部４０に差し込んだときに、差込片３６の基端部３７が差込口３９の狭幅部４１にはまり込むので、基端部３７を摘むことができず、包装体を破らずに開封するのが難しい。そのため、不正に開封することができない。
【００４０】
また、この包装体は、差込口３９に差し込んだ差込片３６で外フラップ３３を閉じた状態に保持するので、被包装物を包装するときに粘着テープや接着剤を必要としない。そのため、低コストであり、包装作業が簡単である。
【図面の簡単な説明】
【００４１】
【図１】この発明の第１実施形態の包装体を示す斜視図
【図２】図１の包装体の外フラップを閉じた状態を示す斜視図
【図３】図２の差込片の近傍の拡大斜視図
【図４】図３の差込片を差込口に差し込む過程を示す拡大斜視図
【図５】図４の差込片を差込口に完全に差し込んだ状態を示す拡大斜視図
【図６】図５の差込口の広幅部の縁を切取線に沿って切り取った状態を示す拡大斜視図
【図７】図６の差込片を差込口から抜き出す過程を示す拡大斜視図
【図８】図７の差込片を差込口から完全に抜き出した状態を示す拡大斜視図
【図９】図１に示す包装体のブランクを示す平面図
【図１０】この発明の第２実施形態の包装体を示す斜視図
【図１１】図１０の包装体の内フラップを閉じた状態を示す斜視図
【図１２】図１１の外フラップを閉じた状態を示す斜視図
【図１３】図１２の差込片の近傍の拡大斜視図
【符号の説明】
【００４２】
１      収容箱体
３      外フラップ
４      先端縁
５      縁
６      差込片
７      基端部
８      先端部
９      差込口
１０    広幅部
１１    狭幅部
１３    切取線
１５ａ    凹縁
３１    収容トレー
３３    外フラップ
３５    先端縁
３６    差込片
３７    基端部
３８    先端部
３９    差込口
４０    広幅部
４１    狭幅部
４２    縁
４３    切取線
４５    凹縁
【図１】
2008110797.tif 000003
【図２】
2008110797.tif 000004
【図３】
2008110797.tif 000005
【図４】
2008110797.tif 000006
【図５】
2008110797.tif 000007
【図６】
2008110797.tif 000008
【図７】
2008110797.tif 000009
【図８】
2008110797.tif 000010
【図９】
2008110797.tif 000011
【図１０】
2008110797.tif 000012
【図１１】
2008110797.tif 000013
【図１２】
2008110797.tif 000014
【図１３】
2008110797.tif 000015